(57)【要約】      （修正有）【課題】任意の年と月を指定するだけで、電算機やパソコンを使うことなく即座に正確なカレンダーを作り、週末の日取りを見たり、七曜日を確認目視できる器具を得る。また日付と曜日がわかった場合の年度を逆算して読み取れるようにする。【解決手段】任意の西暦年月のカレンダーを机上で、次のように年数と月を指定することにより万年暦を形成させる。まず円柱ないし立体形の容器の外面に、西暦年数欄と七曜日欄を表図１として形成する。さらに月の名称欄と日数欄を組み合わせて表図２を形成する。表図１と表図２を縦横に摺滑可能の状態に組み立て、期待の年と月を合わせることによってあらゆる年月の歴表を作成可能とする。国際的な汎用性を持たせるために、曜日の名称と月の名称を複数言語で表現して並列する。【選択図】図３
0003140888.tif 000002
【実用新案登録請求の範囲】
【請求項１】
パソコンなどに頼らないでも手軽に、任意の西暦年月のカレンダーを形成させ、曜日を目視できる器具に関わるものである。閏年を考慮することは当然である。望みの年数欄と月の名称欄を摺動合致させることにより、指定された月の歴表を形成させ、自在に曜日の読み取りを可能にする。
【請求項２】
或る日の日付けと曜日から、それが何年であったかを即座に逆算し、目視できる。
【請求項３】
西暦の起源時から数百年後の年月でも目はずれしないように、円柱や立体形の外面に表を形成する。机上に置く場合は、筆立てや花瓶、茶・菓子容器などの表面に万年暦を形成させて兼用性をもたせる。また屋内外では円柱や角柱ないし壁に形成させ、公用性を増す。
【請求項４】
月の名称や七曜日の名称は言語によって異なるので、月の名称と七曜日を複数言語で表現し並列させることによって、国際的汎用性を具備した暦表を形成する。
【請求項５】
年数欄の期間は任意であるが、４００年分記述することによって、文字通りの１万年にも通用するグレゴリオ暦となる。
【考案の詳細な説明】
【技術分野】
【０００１】
【背景技術】
【０００２】
【考案の開示】
【考案が解決しようとする課題】  ［西暦の起源から数百年後の暦まで、正確なカレンダーを机上で手軽に形成する。必要に応じて屋内外にも形成できる。どのような団体個人においても、将来の催事を企画するにあたり、まず予定期日の曜日を知ることが大切である。本考案を利用すれば、任意の年と月を指定することにより、期待の月の七曜表を形成できる。また過去の事案の時点が何曜日であったかを知ることが、事案の原因究明と対策の足がかりとなりうる。逆に日付と曜日が判明していれば、年度が求まるようにする。］
【課題を解決するための手段】  ［任意の西暦年月のカレンダーを自在に作るために、次のように年数と月を指定することにより万年暦を形成させる。まず円柱ないし立体の外面に、西暦年数表と七曜表を表図１として形成する。さらに月の名称と日数表を組み合わせて表図２を形成する。表図１と表図２を摺滑可能の状態に組み立て、摺動によって期待の年と月を合わせられる様にする。表図１の形成を工夫することによって目はずれがなくなり、西暦の起源時から数百年後でも、任意の月の七曜表を形成することができる。］
【考案の効果】  ［将来の催事の企画にあたり、何十年先でも即座に曜日を確認することができる。刑事案件のアリバイ崩しあるいは確認にも生かすことが可能である。したがって過去の事案の原因の究明・対策に寄与することができる。］
【考案を実施するための最良の形態】  ［上記の二つの表図を二重にして摺滑可能な状態で組み立て、円柱面ないし角柱面の周囲に形成することにより、目はずれの心配がなくなり、西暦の起源時から数百年後の曜日でも目視確認できる。また国際的な汎用性をもたせるために、複数言語で表現し、表図２を縦横に摺動できるようにする。］
【実施例】  ［図３のように筆立てないし花瓶に二つの表を互いに摺動できるように組み立てる。なお屋内外に設置する場合には、円柱や角柱の目立つ部分に形成させる。］
【産業上の利用可能性】  ［将来の催事の企画、過去の事案の原因究明・対策にも利用できるが、複数言語で筆立てや眼鏡保持器、花瓶、食品保管箱缶等の外面に形成することにより、兼用性の高い手軽な国際的みやげ商品として通用し、外貨の獲得にも貢献する。］
【図面の簡単な説明】
【図１】は西暦年数表Ｂと、七曜日の名称を複数言語で表現する表Ａを組み合わせた表図１である。
【図２】は日数表Ｃと、月の名称を複数言語で表現する表Ｄを組み合わせた表図２である
【図３】は図１と図２を重ねて組立てた図の１例で、上部からＡＣＤＢの順に示すが、場合によってはＢＤＡＣまたはＡＣＢＤの順にすることもできる。
【符号の説明】
表図１の上段Ａ部分は七曜日の名称の複数言語表現。下段Ｂ部分は西暦年数表である。
表図２の上段Ｃ部分は日数表で、下段Ｄ部分は月の名称の複数言語表現である。
【図１】
0003140888.tif 000003
【図２】
0003140888.tif 000004
【図３】
0003140888.tif 000005
【手続補正書】
【提出日】平成19年12月28日(2007.12.28)
【手続補正１】
【補正対象書類名】実用新案登録請求の範囲
【補正対象項目名】全文
【補正方法】変更
【補正の内容】
【実用新案登録請求の範囲】
【請求項１】
円柱、角柱、あるいは円筒容器などの立体物表面に、七曜日表と西暦年数表とを組み合わせて作表し、さらにその外面を、日数表と月の名称とを組み合わせて形成した表で覆い、両表の間を摺滑可能の状態に組み立て構成し、両表間を自在に摺動することによって、任意・望みの西暦年数と月とを合致させる時、その月のカレンダーが形成されることを特徴とする国際万年暦。
【請求項２】
月の名称欄や七曜日の名称表では、複数言語を使って表現することを特徴とする請求項１記載の国際万年暦。
【手続補正２】
【補正対象書類名】明細書
【補正対象項目名】全文
【補正方法】変更
【補正の内容】
【考案の詳細な説明】
【技術分野】
【０００１】  パソコンなどに頼らずに、手軽に前後数百年に亘る任意の年月のカレンダーを創出するもので、複数言語を採り入れることで国際汎用性を具備させる。
【背景技術】
【０００２】  万年カレンダーでは一般的に適用年数の拡張と閏年の取り扱いが最大の課題である。４００年の周期を持つ現在の西暦の起源時から未来まで問題なく適応させる。
【考案の開示】
【考案が解決しようとする課題】
【０００３】  西暦の起源から数百年後の暦まで、正確なカレンダーを机上で手軽に形成させる。必要に応じて屋内外にも形成させる。将来の催事を企画するにあたり、まず予定期日の曜日を知ることが大切である。本考案は、前後数百年に亘り、年と月を指定することにより、期待の月の暦を形成させ、事案の時点が何曜日であるかを表示させる。逆に日付と曜日が判明していれば、年度が求まるようにする。【０００４】  国際的に汎用できる万年歴を形成する。
【課題を解決するための手段】
【０００５】  任意の西暦年月のカレンダーを自在に作るために、次のように年数と月を指定することにより万年暦を形成させる。まず円柱ないし立体の外面に、西暦年数表と七曜表を表図１として形成する。さらに月の名称と日数表を組み合わせて表図２を形成する。表図１と表図２を摺滑可能の状態に組み立て、摺動によって期待の年と月を合わせられるようにする。表図１の形成を工夫することによって目はずれがなくなり、西暦の起源時から数百年後でも、任意の月の七曜表を形成することができる。【０００６】  月の名称や七曜日の名称は言語によって異なるので、月の名称と七曜日を複数言語で表現し並列させることによって、国際的汎用性を具備した暦表を形成する
【考案の効果】
【０００７】  将来の催事の企画にあたり、パソコンがなくても手軽に、何十年先でも即座にカレンダーを形成させ、曜日を確認することができる。また或る日の日付けと曜日から、それが何年であったかを即座に逆算できるので、事件のアリバイ崩しあるいは確認にも生かすことが可能である。したがって過去の事件事故の原因の究明・予防対策の足がかりに寄与することができる。【０００８】  複数言語で表現することで国際的な商品となり、外貨の獲得にも貢献する。
【考案を実施するための最良の形態】
【０００９】  図３のような円筒、円柱面ないし角柱面の外面に、図１と図２との二つの表図を重ねて、摺滑可能な状態で組み立て、図２を縦横に摺動させることにより、年と月を合致させ、望みの年月を指定できるようになる。この合致操作により西暦の起源時から数百年後の年月でも暦ができる。また国際的な汎用性をもたせるために、月名称欄は複数言語で表現する。【００１０】  机上に置く場合は、筆立てや眼鏡保持器、花瓶、茶・菓子容器などに万年暦を形成させて兼用性をもたせる。また屋内外では円柱や角柱ないし平面の壁に形成させる。【００１１】  年数表欄の期間は任意であるが、４００年分記述することによって、文字通りの１万年にも通用するグレゴリオ暦となる。
【実施例】
【００１２】  図３のように種々の保管容器に二つの表を互いに摺動できるように組み立てる。なお屋内外に設置する場合には、円柱や角柱の目立つ部分に形成させる。図３は図１と図２を重ねた組み立て図の一例で、上部からＡＣＤＢの順に示すが、場合によってはＢＤＡＣまたはＡＣＢＤの順にすることもできる。【００１３】  産業的には、複数言語を採り入れて金品保管箱缶等の外面に形成することにより、兼用性の高い手軽な国際的みやげ商品ができる。
【図面の簡単な説明】
【００１４】
【図１】は七曜日の名称を複数言語で表現する表Ａと、元旦の曜日の順に並べた西暦年数表Ｂとを、組み合わせ一体化した展開表図１である。
【図２】は日数表Ｃと、元旦から数えた毎月初日の曜日の順に月名称を並べた表Ｄとを、組み合わせ一体化した展開表図２である。
【図３】は図１に図２を重ねた組立て図の１例で上部からＡＣＤＢの順に形成する。
【符号の説明】
【００１５】  Ａ  複数言語による七曜日の名称表。
Ｂ  閏年には特別２枠を割り当てた西暦の年数表。
Ｃ  日数表。
Ｄ  複数言語による月の名称表。